(57)【要約】【課題】紫外線処理装置に異常が発生したときに、紫外線処理装置からの水が浄水貯留部へ流れないように迅速に応答する水処理システムを提供する。【解決手段】水処理システムは、異常検出手段２０が紫外線処理装置２の異常を検出したときに、緊急遮断弁３を作動させて第１流路１３を遮断するとともに、緊急開放弁５を作動させて第２流路１４を開放することにより、水が紫外線処理装置２から排水貯留部１２へ流れるようにし、浄水貯留部１１への流れることを防止する。緊急遮断弁３は、ウエイトの重量によって第１流路１３を遮断するウエイト式であり、緊急開放弁５は、スプリングの弾性付勢力によって第２流路１４を開放するスプリング式である。【選択図】図１
2015080732.tif 000002
【特許請求の範囲】
【請求項１】
水を紫外線処理する紫外線処理装置と、
前記紫外線処理装置の異常を検出する異常検出手段と、
前記紫外線処理装置に接続された第１流路と、
前記第１流路に接続され、前記紫外線処理装置により紫外線処理された前記第１流路からの水が貯留される浄水貯留部と、
前記第１流路に設置された緊急遮断弁としての第１弁と、
前記第１流路の前記紫外線処理装置と前記第１弁との間の部分から分岐した第２流路と、
前記第２流路に接続され、前記第２流路からの水が貯留される排水貯留部と、
前記第２流路に設置された緊急開放弁としての第２弁と、
前記異常検出手段が異常を検出したときに、前記第１弁を作動させて前記第１流路を遮断するとともに、前記第２弁を作動させて前記第２流路を開放することにより、水が前記紫外線処理装置から前記排水貯留部へ流れるようにし、前記浄水貯留部へ流れることを防止する制御手段と、を備え、
前記第１弁は、ウエイトの重量によって前記第１流路を遮断するウエイト式の緊急遮断弁であり、
前記第２弁は、スプリングの弾性付勢力によって前記第２流路を開放するスプリング式の緊急開放弁である、
ことを特徴とする水処理システム。
【請求項２】
前記第１弁は、
前記第１流路に設置された第１弁箱と、
前記第１弁箱に回転可能に支持された第１弁軸と、
前記第１弁軸の回転によって回転して、前記第１流路を遮断及び開放する第１弁体と、
前記第１弁軸に連動するように設けられて、前記第１弁体が前記第１流路を遮断する閉位置と、前記第１弁体が前記第１流路を開放する開位置との間を揺動可能な揺動アームと、
前記揺動アームに取り付けられ、重量によって前記揺動アームを前記閉位置へ付勢する前記ウエイトと、
前記揺動アームを重力に抗して前記開位置にロックする第１ロック機構と、
前記第１ロック機構による前記揺動アームのロックを解除する第１ロック解除機構と、を備え、
前記第２弁は、
前記第２流路に設置された第２弁箱と、
前記第２弁箱に回転可能に支持された第２弁軸と、
前記第２弁軸の回転によって回転して、前記第２流路を遮断及び開放する第２弁体と、
前記第２弁軸に連動するように設けられて、前記第２弁体が前記第２流路を遮断する閉位置と、前記第２弁体が前記第２流路を開放する開位置との間を移動可能な移動部材と、
前記移動部材を弾性付勢力によって前記開位置へ付勢する前記スプリングと、
前記移動部材を前記スプリングの弾性付勢力に抗して前記閉位置にロックする第２ロック機構と、
前記第２ロック機構による前記移動部材のロックを解除する第２ロック解除機構と、を備え、
前記制御手段は、前記異常検出手段が異常を検出したときに、前記第１ロック解除機構を作動させて前記揺動アームのロックを解除し、前記ウエイトの重量によって前記第１弁軸を回転させることで前記第１流路を遮断するとともに、前記第２ロック解除機構を作動させて前記移動部材のロックを解除し、前記スプリングの弾性付勢力によって前記第２弁軸を回転させることで前記第２流路を開放する、
ことを特徴とする請求項１に記載の水処理システム。
【請求項３】
水を紫外線処理する紫外線処理装置と、
前記紫外線処理装置の異常を検出する異常検出手段と、
前記紫外線処理装置に接続された第１流路と、
前記第１流路に接続され、前記紫外線処理装置により紫外線処理された前記第１流路からの水が貯留される浄水貯留部と、
前記第１流路から分岐した第２流路と、
前記第２流路に接続され、前記第２流路からの水が貯留される排水貯留部と、
前記第２流路の前記第１流路からの分岐点に設置された三方ボール弁と、を備え、
前記三方ボール弁は、前記紫外線処理装置が前記浄水貯留部と連通し、前記排水貯留部と非連通である第１状態と、前記紫外線処理装置が前記浄水貯留部と非連通であり、前記排水貯留部と連通する第２状態とに切替え可能であり、さらに、
前記紫外線処理装置が異常を検出したときに、前記三方ボール弁を前記第１状態から前記第２状態に切り替え、水が前記紫外線処理装置から前記排水貯留部へと流れるようにし、前記浄水貯留部へ流れることを防止する制御手段、を備え、
前記三方ボール弁は、スプリングの弾性付勢力によって前記第１状態から前記第２状態に切り替わるスプリング式の三方ボール弁である、
ことを特徴とする水処理システム。
【請求項４】
前記三方ボール弁は、
前記分岐点に設置された弁箱と、
前記弁箱に回転可能に支持された弁軸と、
前記弁軸の回転によって回転して、前記第１状態と前記第２状態とを切り替えるためのボール弁体と、
前記弁軸に連動するように設けられて、前記ボール弁体が前記第１状態を形成する第１位置と、前記ボール弁体が前記第２状態を形成する第２位置との間を移動可能な移動部材と、
前記移動部材を前記第２位置へ弾性付勢する前記スプリングと、
前記移動部材を前記スプリングの弾性付勢力に抗して前記第１位置にロックするロック機構と、
前記ロック機構による前記移動部材のロックを解除するロック解除機構と、を備え、
前記制御手段は、前記異常検出手段が異常を検出したときに、前記ロック解除機構を作動させて前記移動部材のロックを解除し、前記スプリングの弾性付勢力によって前記弁軸を回転させて、前記三方ボール弁を前記第１状態から前記第２状態へ切り替える、
ことを特徴とする請求項３に記載の水処理システム。
【発明の詳細な説明】
【技術分野】
【０００１】
本願発明は、紫外線処理装置により水を紫外線処理する水処理システムに関する。
【背景技術】
【０００２】
日本では、平成１９年３月に、「水道施設の技術的基準を定める省令の一部を改正する省令」が制定されて、水道水のクリプトスポリジウム等の耐塩素性病原生物の対策のために、紫外線処理装置を使用することが認められた。これに基づいて、各自治体は、浄水施設の水処理システムに紫外線処理装置を導入することを検討している。
従来から、紫外線を用いた水処理システムが提案されている（例えば、特許文献１等参照）。
【０００３】
図１３に、従来の紫外線処理装置が導入された水処理システムの一例が示されている。水処理システムは、紫外線処理前の水が貯留される原水貯留部１と、水を紫外線処理する紫外線処理装置２と、紫外線処理後の水が貯留される浄水貯留部１１とを備えている。
【０００４】
原水貯留部１の水が、ポンプＰによって流路１０を通って紫外線処理装置２へ送られる。紫外線処理装置２は、送られてきた水に対して紫外線ランプから紫外線を照射することにより、水に含まれているクリプトスポリジウム等の耐塩素性病原生物を不活性化させる。紫外線処理後の水は、流路１３を通って浄水貯留部１１へ送られる。そして、浄水貯留部１１の水が、その下流側にある配水池などへ給水される。
【０００５】
このような紫外線処理装置２を用いた水処理システムでは、紫外線処理装置２が何かしらの原因で故障することがある。例えば、紫外線ランプから紫外線が照射されなくなることがある。このような場合、紫外線処理されてない水が、即ち、不活性化していない耐塩素性病原生物を含む水が、浄水貯留部１１に流れ出でしまう。また、例えば、紫外線ランプを保護する保護管が破損することがある。このような場合、さらに、破損した保護管の破片が水とともに浄水貯留部１１に流れ出てしまう。
【先行技術文献】
【特許文献】
【０００６】
【特許文献１】特開２００９−０８２７７４号公報
【発明の概要】
【発明が解決しようとする課題】
【０００７】
そこで、本願発明が解決しようとする課題は、紫外線処理装置に異常が発生したときに、紫外線処理装置からの水が浄水貯留部へ流れないように迅速に応答する水処理システムを提供することにある。
【課題を解決するための手段】
【０００８】
上記課題を解決するために、本願発明に係る水処理システムは、
水を紫外線処理する紫外線処理装置と、前記紫外線処理装置の異常を検出する異常検出手段と、前記紫外線処理装置に接続された第１流路と、前記第１流路に接続され、前記紫外線処理装置により紫外線処理された前記第１流路からの水が貯留される浄水貯留部と、前記第１流路に設置された緊急遮断弁としての第１弁と、前記第１流路の前記紫外線処理装置と前記第１弁との間の部分から分岐した第２流路と、前記第２流路に接続され、前記第２流路からの水が貯留される排水貯留部と、前記第２流路に設置された緊急開放弁としての第２弁と、前記異常検出手段が異常を検出したときに、前記第１弁を作動させて前記第１流路を遮断するとともに、前記第２弁を作動させて前記第２流路を開放することにより、水が前記紫外線処理装置から前記排水貯留部へ流れるようにし、前記浄水貯留部へ流れることを防止する制御手段と、を備え、
前記第１弁は、ウエイトの重量によって前記第１流路を遮断するウエイト式の緊急遮断弁であり、前記第２弁は、スプリングの弾性付勢力によって前記第２流路を開放するスプリング式の緊急開放弁であることを特徴とする。
【０００９】
好ましくは、前記第１弁は、前記第１流路に設置された第１弁箱と、前記第１弁箱に回転可能に支持された第１弁軸と、前記第１弁軸の回転によって回転して、前記第１流路を遮断及び開放する第１弁体と、前記第１弁軸に連動するように設けられて、前記第１弁体が前記第１流路を遮断する閉位置と、前記第１弁体が前記第１流路を開放する開位置との間を揺動可能な揺動アームと、前記揺動アームに取り付けられ、重量によって前記揺動アームを前記閉位置へ付勢する前記ウエイトと、前記揺動アームを重力に抗して前記開位置にロックする第１ロック機構と、前記第１ロック機構による前記揺動アームのロックを解除する第１ロック解除機構と、を備え、
前記第２弁は、前記第２流路に設置された第２弁箱と、前記第２弁箱に回転可能に支持された第２弁軸と、前記第２弁軸の回転によって回転して前記第２流路を遮断及び開放する第２弁体と、前記第２弁軸に連動するように設けられて、前記第２弁体が前記第２流路を遮断する閉位置と、前記第２弁体が前記第２流路を開放する開位置との間を移動可能な移動部材と、前記移動部材を弾性付勢力によって前記開位置へ付勢する前記スプリングと、前記移動部材を前記スプリングの弾性付勢力に抗して前記閉位置にロックする第２ロック機構と、前記第２ロック機構による前記移動部材のロックを解除する第２ロック解除機構と、を備え、
前記制御手段は、前記異常検出手段が異常を検出したときに、前記第１ロック解除機構を作動させて前記揺動アームのロックを解除し、前記ウエイトの重量によって前記第１弁軸を回転させることで前記第１流路を遮断するとともに、前記第２ロック解除機構を作動させて前記移動部材のロックを解除し、前記スプリングの弾性付勢力によって前記第２弁軸を回転させることで前記第２流路を開放する。
【００１０】
さらに、上記課題を解決するために、本願発明に係る水処理システムは、
水を紫外線処理する紫外線処理装置と、前記紫外線処理装置の異常を検出する異常検出手段と、前記紫外線処理装置に接続された第１流路と、前記第１流路に接続され、前記紫外線処理装置により紫外線処理された前記第１流路からの水が貯留される浄水貯留部と、前記第１流路から分岐した第２流路と、前記第２流路に接続され、前記第２流路からの水が貯留される排水貯留部と、前記第２流路の前記第１流路からの分岐点に設置された三方ボール弁と、を備え、
前記三方ボール弁は、前記紫外線処理装置が前記浄水貯留部と連通し、前記排水貯留部と非連通である第１状態と、前記紫外線処理装置が前記浄水貯留部と非連通であり、前記排水貯留部と連通する第２状態とに切替え可能であり、さらに、
前記紫外線処理装置が異常を検出したときに、前記三方ボール弁を前記第１状態から前記第２状態に切り替え、水が前記紫外線処理装置から前記排水貯留部へと流れるようにし、前記浄水貯留部へ流れることを防止する制御手段、を備え、
前記三方ボール弁は、スプリングの弾性付勢力によって前記第１状態から前記第２状態に切り替わるスプリング式の三方ボール弁であることを特徴とする。
【００１１】
好ましくは、前記三方ボール弁は、前記分岐点に設置された弁箱と、前記弁箱に回転可能に支持された弁軸と、前記弁軸の回転によって回転して、前記第１状態と前記第２状態とを切り替えるためのボール弁体と、前記弁軸に連動するように設けられて、前記ボール弁体が前記第１状態を形成する第１位置と、前記ボール弁体が前記第２状態を形成する第２位置との間を移動可能な移動部材と、前記移動部材を前記第２位置へ弾性付勢する前記スプリングと、前記移動部材を前記スプリングの弾性付勢力に抗して前記第１位置にロックするロック機構と、前記ロック機構による前記移動部材のロックを解除するロック解除機構と、を備え、
前記制御手段は、前記異常検出手段が異常を検出したときに、前記ロック解除機構を作動させて前記移動部材のロックを解除し、前記スプリングの弾性付勢力によって前記弁軸を回転させて、前記三方ボール弁を前記第１状態から前記第２状態へ切り替える。
【発明の効果】
【００１２】
本願発明の水処理システムは、上記構成の通り、紫外線処理装置に異常が発生したときには、緊急遮断弁及び緊急開放弁を作動させることで、または三方ボール弁を作動させることで、紫外線処理装置からの水を排水貯留部へ排出し、浄水貯留部へ流さないようにしている。それによって、耐塩素性病原生物が不活性化していないまま、浄水貯留部へ流れ出たり、紫外線処理装置の紫外線ランプの保護管の破片が、浄水貯留部へ流れ出たりすることが防止される。
【００１３】
さらに、本願発明の水処理システムでは、緊急遮断弁は、ウエイトの重量を利用して流路を遮断するウエイト式であり、緊急開放弁は、スプリングの弾性付勢力を利用して流路を開放するスプリング式である。また、三方ボール弁は、スプリングの弾性付勢力を利用して流路を切り替えるスプリング式である。この構成によれば、例えば、電動モーターを利用して流路を遮断し、開放し、または切り替えるものよりも、素早く流路を遮断し、開放し、または切り替えることができ、それによって、水処理システムは、紫外線処理装置に異常が発生したときに、迅速に応答することができる。
【図面の簡単な説明】
【００１４】
【図１】水処理システムの第１実施形態の概略的な構成を示す図である。
【図２】水処理システムに備えられた紫外線処理装置及び異常検出手段の概略的な構成を示す図である。
【図３】水処理システムに備えられた緊急遮断弁の正面図である。
【図４】図３の緊急遮断弁の側面図である。
【図５】緊急遮断弁のロック機構（緊急開放弁及び三方ボール弁のアームロック機構）及び、緊急遮断弁のロック解除機構（緊急開放弁及び三方ボール弁のロック解除機構）の正面図である。
【図６】水処理システムに備えられた緊急開放弁の正面図である。
【図７】図６の緊急遮断弁の側面図である。
【図８】図８Ａは、スプリング機構の移動バーが閉位置（第１位置）にあるときの断面図であり、図８Ｂは、移動バーが開位置（第２位置）にあるときの断面図である。
【図９】図９Ａは、スプリング機構の移動バーが閉位置（第１位置）にあるときの側面図であり、図９Ｂは、移動バーが開位置（第２位置）にあるときの側面図である。
【図１０】水処理システムの第２実施形態の概略的な構成を示す図である。
【図１１】水処理システムに備えられた三方ボール弁の正面図である。
【図１２】図１１の三方ボール弁の側面図である。
【図１３】従来の水処理システムの概略的な構成を示す図である。
【発明を実施するための形態】
【００１５】
以下、図面を参照して、本願発明に係る紫外線を利用した水処理システムを説明する。水処理システムは、例えば、水道水の浄水施設に設置される。
【００１６】
[第１実施形態]
[全体構成]
図１に、水処理システムの概略的な構成が示されている。水処理システムは、紫外線処理前の水である原水が貯留される原水貯留部１と、原水を紫外線処理する複数の紫外線処理装置２とを備えている。原水貯留部１と各紫外線処理装置２とは、流路１０に接続されている。
【００１７】
各紫外線処理装置２には、紫外線処理装置２に異常が発生したことを検出する異常検出手段２０が備えられている。紫外線処理装置２及び異常検出手段２０の構成は下記にて詳述する。
【００１８】
さらに、紫外線処理後の水である浄水が貯留される浄水貯留部１１と、紫外線処理装置２に異常が発生した際に紫外線処理装置２からの水が貯留される排水貯留部１２とが設けられている。各紫外線処理装置２と浄水貯留部１１とは、流路１３（第１流路）に接続されており、当該流路１３には、ウエイト式の緊急遮断弁３（第１弁）が設置されている。流路１４（第２流路）が、流路１３に接続されて流路１３から分岐している。流路１４は、流路１３の紫外線処理装置２と緊急遮断弁３との間の部分から分岐している。排水貯留部１２は、流路１４に接続されている。流路１４には、スプリング式の緊急開放弁５が設置されている。なお、流路１０、１３、１４は、所定の口径の配管によって構成されている。
【００１９】
さらに、異常検出手段２０が異常を検出したときに緊急遮断弁３及び緊急開放弁５を作動させる制御盤１５（制御手段）が設けられている。
【００２０】
[紫外線処理装置]
図２の通り、紫外線処理装置２は、流入口２１及び流出口２２を有する処理槽２３を備えており、処理層２３内には複数の紫外線ランプ２４が設置されている。各紫外線ランプ２４は、保護管２５に覆われて保護されている。紫外線ランプ２４は、電源供給部２６から電源の供給を受けて紫外線を照射する。原水は、流路１０から流入口２１を通って処理層２３内に導入される。原水は、流入口２１から流出口２２へ移動する間に、紫外線ランプ２４から照射される紫外線を受け、それによって原水に含まれている耐塩素性病原生物などの微生物が不活性化される。紫外線処理された原水は、浄水として、流出口２２から流路１３へ送られる。
【００２１】
[異常検出手段]
異常検出手段２０は、紫外線ランプ２４の故障及び破損、保護管２５の破損などといった、紫外線処理装置２の異常を検出する。異常検出手段２０は、紫外線処理装置２に異常が発生しているか否かを判定する判定部２７と、紫外線ランプ２４毎に設けられ、紫外線ランプ２４から照射される紫外線の強度を測定する強度センサ２８とを備えている。強度センサ２８は、処理層２３内に設置される。
【００２２】
紫外線ランプ２４が故障または破損すれば、紫外線ランプ２４からは紫外線が照射されない、若しくは照射される紫外線の強度が低下する。また、保護管２５に汚れが付着することによっても原水が受ける紫外線の強度は低下する。そこで、判定部２７は、強度センサ２８よる測定強度が、予め設定された基準値以上であれば、紫外線処理装置２が異常ではないと判定し、測定強度が基準値未満であれば、紫外線処理装置２が異常であると判定する。
【００２３】
また、判定部２７は、各紫外線ランプ２４の電流または電圧を測定する不図示の測定手段（電流計、電圧計等）を備えている。紫外線ランプ２４が故障または破損したときには、測定される電流及び電圧が大きく変化する。また、保護管２５が破損したときには、紫外線ランプ２４の表面に水が接触して紫外線ランプ２４の温度が低下して、その結果、測定される電流及び電圧が大きく変化する。また、保護管２５の破損によって漏水や短絡が生じた場合も、測定される電流及び電圧が大きく変化する。そこで、判定部２７は、測定している電流または電圧の変化に基づいても、紫外線処理装置２が異常であるか否かを判定する。
【００２４】
判定部２７は、上記のいずれかによって紫外線処理装置２の異常を検出したときには、異常が生じたことを示す信号を制御盤１５（図１）へ送る。
【００２５】
[緊急遮断弁]
緊急遮断弁３は、ウエイトの重量によって流路１３（第１流路）（図１）を緊急遮断するウエイト式である。図３の通り、緊急遮断弁３は、流路１３に設置される弁箱３０（第１弁箱）を備えている。弁箱３０の内部は流路１３の一部を形成する。弁軸３１（第１弁軸）が弁箱３０に回転可能に支持され、弁箱３０の内外を貫通している。弁箱３０の内部には、弁軸３１に取り付けられた弁体３２（第１弁体）が配置されている。弁体３２は、バタフライ弁であり、弁軸３１の回転によって回転して、弁箱３０の内部に形成された弁座に当接して流路１３を遮断し、また弁座から離間して流路１３を開放する。図３には、弁体３２が流路１３を開放した状態が示されている。
【００２６】
図４の側面図の通り、緊急遮断弁３は、ウエイト３３が取り付けられた揺動アーム３４を備えている。揺動アーム３４は、その一端が弁軸３１に取り付けられて弁軸３１の回転に連動し、実線で示される位置と、一点鎖線で示される位置との間を揺動する。揺動アーム３４が実線位置にあるときには、弁体３２は図３のように流路１３を開放している。以下、実線で示される揺動アーム３４の位置を開位置という。揺動アーム３４が、ストッパー３５により規制される一転鎖線位置にまで揺動すると、これに連動して弁軸３１が回転し、それによって、弁体３２が閉方向に回転し流路１３を遮断する。以下、この一点鎖線で示される揺動アーム３４の位置を閉位置という。
【００２７】
揺動アーム３４の他端側にあるウエイト３３は、その重量によって揺動アーム３４を開位置から閉位置へと付勢している。即ち、ウエイト３３は、流路１３を遮断する閉方向に弁体３２を付勢している。揺動アーム３４は、重力（即ち、揺動アーム３４自体の重量及びウエイト３３の重量）によって開位置から閉位置へ揺動しようとするが、後述のロック機構３８（第１ロック機構）がこれを開位置にロックしている。
【００２８】
揺動アーム３４には、補助アーム３６が備えられている。この補助アーム３６は、その一端が回転軸３７に取り付けられており、回転軸３７周りに揺動する。回転軸３７は、弁軸３１と平行であり、弁軸３１から離れた位置に設けられている。補助アーム３６の他端にはウエイト３３が取り付けられている。揺動アーム３４の他端側には、揺動アーム３４の長さ方向にのびる移動孔３４ａが形成され、ウエイト３３は当該移動孔３４ａに沿って移動可能である。
【００２９】
図４の実線の通り、揺動アーム３４が開位置にあるときには、ウエイト３３が移動孔３４ａの弁軸３１に近接した端部に位置している。ウエイト３３を弁軸３１に近接させることにより、ウエイト３３の重量による弁軸３１周りのモーメントが小さくなり、それによって、後述のロック機構３８が揺動アーム３４を開位置に保持する力が小さくなる。
【００３０】
揺動アーム３４が、重力により閉位置へ揺動して弁体３２を閉方向に回転させる際、補助アーム３６は、弁軸３１とは異なる回転軸３７周りに揺動することで、ウエイト３３を移動孔３４ａに沿って移動させて弁軸３１から離間させる。即ち、補助アーム３６は、ウエイト３３の重量による弁軸３１周りのモーメントを増大させている。そして、揺動アーム３４が閉位置に位置し、弁体３２が流路１３を遮断しているとき、ウエイト３３が移動孔３４ａの弁軸３１から離間した端部にまで移動し、それによって、弁体３２が流路１３を遮断する力を増大させている。
【００３１】
ロック機構３８は、重力により閉位置へ揺動しようとする揺動アーム３４を開位置にロックする。ロック機構３８は、揺動アーム３４に取り付けられたフック３９と、当該フック３９を係止するロックプレート４０とを備えている。
【００３２】
図５Ａに、ロック機構３８の正面図が示されている。ロックプレート４０は、支軸４０ａに回転可能に支持されている。ロックプレート４０には、フック３９が挿入される係止切欠き４１が形成されている。また、ロックブレート４０の回転を規制するためにロックピン４２が設けられており、ロックピン４２は、ロックプレート４０に形成されたロック孔４３に嵌っている。
【００３３】
揺動アーム３４が開位置にあるときには、図５Ａ、図５Ｂの通り、揺動アーム３４のフック３９が係止切欠き４１に挿入されている。揺動アーム３４は、重力により閉位置へ揺動しようとするが、フック３９が係止切欠き４１に係止されることによって、開位置に保持されている。このとき、ウエイト３３及び揺動アーム３４の重量がロックプレート４０に作用して、ロックプレート４０を回転させようとするが、ロックピン４２がロック孔４３に嵌っていることから、ロックプレート４０の回転が規制される。従って、揺動アーム３４が閉位置へ揺動することはない。
こうして、ロック機構３８は、重力に抗して揺動アーム３４を開位置にロックし、それによって、弁体３２が流路１３を開放している状態が保持される。
【００３４】
さらに、緊急遮断弁３は、図５Ａの通り、ロック機構３８による揺動アーム３４のロックを解除するロック解除機構４４（第１ロック解除機構）を備えている。ロック解除機構４４は、前述のロックピン４３を支持するロックアーム４５と、ロックプレート４０に形成されたロック解除孔４６と、電磁ソレノイド４７と、からなる。
【００３５】
ロックアーム４５は、第１ロックアーム４５１と、第２ロックアーム４５２と、第３ロックアーム４５３とからなる。第１ロックアーム４５１は、支軸４５ａに回転可能に支持され、第２ロックアーム４５２は、支軸４５ｂに回転可能に支持され、第３ロックアーム４５３は、第１及び第２ロックアーム４５１、４５２を連結している。前述のロックピン４２は、第２ロックアーム４５２に取り付けられている。
【００３６】
ロック解除孔４６は、支軸を４０ａ中心とした円弧形状を有する。ロック孔４３とロック解除孔４６とは連通しており、ロック孔４３は、ロック解除孔４６の一端から、支軸４０ａを中心とする円の径方向にのびている。
【００３７】
電磁ソレノイド４７は、電磁コイル等が収容されたハウジング４７０と、電磁コイルの通電及び当該通電の遮断によって直線状に進退移動する可動鉄心４７１とを備えている。電磁ソレノイド４７は、可動鉄心４７１の進退方向が上下方向となるように配置され、退避した位置にある可動鉄心４７１は、第１ロックアーム４５１の一端に対向している。この電磁ソレノイド４７は、前述の制御盤１５に接続されている。
【００３８】
可動鉄心４７１が前進すると第１ロックアーム４５１の一端を押し下げ、第１ロックアーム４５１を支持４５ａ周りに回転させる。第１ロックアーム４５１の他端に連結された第３ロックアーム４５３は、この回転に連動することで、第２ロックアーム４５２の一端を押し上げ、第２ロックアーム４５２を支持４５ｂ周りに回転させる。それによって、第２ロックアーム４５２のロックピン４２は、ロック孔４３から離脱してロック解除孔４６へと移動する。
【００３９】
ロックピン４２がロック孔４３から外れることにより、ロックプレート４０の回転規制が解除され、その結果、ロックプレート４０の係止切欠き４１によるフック３９の係止が解除される。即ち、ロック機構３８による揺動アーム３４のロックが解除される。
【００４０】
揺動アーム３４のロックが解除されると、揺動アーム３４は、重力によって閉位置へと揺動し始める。この際に、揺動アーム３４に取り付けられたフック３９が、ロックプレート４０を一方向に回転させるとともに（図５Ａ、図５Ｂ矢印参照）、回転しているロックプレート４０の係止切欠き４１から抜け出ていく（図５Ｃ参照）。ロックプレート４０が回転する際、ロックピン４２がロック解除孔４６に対して相対的に移動し、ロックプレート４０は、ロックピン４２がロック解除孔４６の端部に当接するまで回転する（図５Ｃ参照）。
【００４１】
このように、ロック解除機構４４が揺動アーム３４のロックを解除することにより、図４の一点鎖線の通り、揺動アーム３４がウエイト３３によって閉位置にまで速やかに揺動する。そして、この揺動に連動して弁軸３１が回転し、それによって、弁体３２が閉方向に回転して流路１３を緊急遮断する。
【００４２】
なお、緊急遮断弁３が流路１３を遮断した後、図３に示されるハンドル４８を操作して弁軸３１を回転させると、揺動アーム３４を閉位置から開位置へと揺動させることができる。この際に、揺動アーム３４のフック３９が、図５Ｃの状態のロックプレート４０の係止切欠き４１に挿入するとともにロックプレート４０を他方向に回転させる。ロックピン４２は、ロックプレート４４の回転によりロック解除孔４６を相対的に移動し、図５Ａ、Ｂの通りロック孔４３に嵌って、再びロックプレート４０の回転を規制し、フック３９は係止切欠き４１に完全に挿入されて再び係止される。即ち、ハンドル４８の回転によって、ロック機構３８が揺動アーム３４を開位置にロックし、弁体３２が流路１３を開放した状態に復帰する。
【００４３】
なお、緊急遮断弁３は、図４の通り、弁体３２が閉方向に回転するときの衝撃を緩和するための緩衝装置４９を備えている。
【００４４】
[緊急開放弁]
緊急開放弁５は、スプリングの弾性付勢力によって流路１４（第２流路）（図１）を緊急開放するスプリング式である。図６の通り、緊急開放弁５は、流路１４に設置される弁箱５０（第２弁箱）を備えている。弁箱５０の内部は流路１４の一部を形成する。弁軸５１（第２弁軸）が弁箱５０に回転可能に支持され、弁箱５０の内外を貫通している。弁箱５０の内部には、弁軸５１に取り付けられた弁体５２（第２弁体）が配置されている。弁体５２は、バタフライ弁であり、弁軸５１の回転によって回転して、弁箱５０の内部に形成された弁座に当接して流路１４を遮断し、また弁座から離間して流路１４を開放する。図６には、弁体５２が流路１４を遮断した状態が示されている。
【００４５】
図７の側面図の通り、緊急開放弁５は、弁軸５１を回転させるために弁軸５１に接続されたスプリング機構５３を備えている。図８は、スプリング機構５３の部分断面側面図を示す。スプリング機構５３は、ハウジング５４に収納されたスプリング５５と、一部分がハウジング５４に挿入された移動バー５６（移動部材）とを備えている。図８Ａの通り、スプリング５５は、圧縮スプリングであり、その圧縮方向が移動バー５６の長さ方向と一致するように配置されている。移動バー５６は、その長さ方向に移動可能にハウジング５４に挿入されている。移動バー５６の一端には、ハウジング５４内を摺動する摺動部材５７が取り付けられており、スプリング５５は摺動部材５７とハウジング５４の一端側の内壁に挟まれている。
【００４６】
移動バー５６と弁軸５１とを連結するために、移動バー５６には連結ピン５８が取り付けられ、弁軸５１には連結片５９が取り付けられ、連結ピン５８は、連結片５９に形成された切欠き６０に挿入されている。図８Ａ、図８Ｂの通り、弁軸５１の回転に伴い連結片５９が回転することで、切欠き６０に嵌った連結ピン５８が移動し、それによって移動バー５６がその長さ方向に移動する。また、移動バー５６の長さ方向の移動に伴い連結ピン５８が移動することで、連結片５９を回転させ、それによって弁軸５１を回転させる。こうして、弁軸５１の回転と移動バー５６の移動とが、即ち、弁体５２の回転と移動バー５６の移動とが連動する。
【００４７】
図８Ａのように移動バー５６が退避しているときには、弁軸５１に取り付けられた弁体５２は、流路１４を遮断している。以下、図８Ａの移動バー５６の位置を閉位置という。図８Ｂのように移動バー５６が進出しているときには、弁体５２が流路１４を開放している。以下、図８Ｂの移動バー５６の位置を開位置という。
【００４８】
そして、図８Ａの通り、移動バー５６が閉位置にあるときには、摺動部材５７がハウジング５４内の中央部にまで摺動しており、スプリング５５が摺動部材５７とハウジング５４の一端側の内壁とによって挟まれて圧縮されている。圧縮されたスプリング５５は、その弾性付勢力によって移動バー５６を開位置に付勢し、即ち、流路１４を開放する開方向に弁体５２を付勢している。但し、通常は、下記するロック機構６１（第２ロック機構）（図７）が、弾性付勢力に抗して移動バー５６を閉位置にロックしている。
【００４９】
図７の通り、緊急開放弁５は、移動バー５６を閉位置にロックするロック機構６１を備えている。ロック機構６１は、回転軸６２周りに揺動可能な揺動アーム６３を備えている。揺動アーム６３は、図７の一点鎖線で示す位置にまで揺動可能である。回転軸６２は弁軸５１と平行であり、弁軸５１から離れた位置に設けられている。
【００５０】
図９に、ロック機構６１の構成の一部が示されている。図９Ａの通り、揺動アーム６３には切欠き６４が形成されており、移動バー５６が閉位置にあるときには、移動バー５６の先端に設けられたロックピン６５が切欠き６４に嵌っている。先に記載の通り、閉位置にある移動バー５６は、スプリング５５の弾性付勢力によって付勢されているので、切欠き６４に嵌っているロックピン６５は、揺動アーム６３を揺動させようとする。
【００５１】
しかしながら、ロック機構６１は、図６、図７の通り、揺動アーム６３をロックするアームロック機構６６を備えており、ロックピン６５が切欠き６４に嵌った状態を保持している。当該アームロック機構６６は、図５Ａに示される緊急遮断弁３のロック機構３８と同様の構成である。従って、同一の構成要素については同一の符号を付してその説明を可能な限り省略する。
即ち、アームロック機構６６は、図５Ａの通り、揺動アーム６３に取り付けられたフック３９、フック３９を係止するロックプレート４０、ロックプレート４０のロック孔４３に挿入されたロックピン４２等からなる。図５Ａの通り、ロックピン４２がロック孔４３に嵌っていることによりロックプレート４０の回転を規制し、揺動アーム６３のフック３９が、ロックプレート４０の係止切欠き４１に挿入されて係止されることで、揺動アーム６３が揺動しないようにロックされている。
【００５２】
再び図９Ａを参照して、上記のように揺動アーム６３は揺動しないようにロックされ、この揺動アーム６３の切欠き６４に、移動バー５６の先端のロックピン６５が嵌っていることにより、移動バー５６がスプリング５５の弾性付勢力によって開位置（図８Ｂ）にまで移動しないように規制されている。
こうして、ロック機構６１は、スプリング５５の弾性付勢力に抗して移動バー５６を閉位置にロックし、それによって弁体５２が流路１４を遮断した状態を保持している。
【００５３】
さらに、緊急開放弁５は、図６の通り、ロック機構６１による移動バー５６のロックを解除するロック解除機構６７（第２ロック解除機構）を備えている。緊急開放弁５のロック解除機構６７は、図５Ａの緊急遮断弁３のロック解除機構４４と同じ構成であるため、同一の構成要素については同一の符号を付し、その説明は可能な限り省略する。
即ち、ロック解除機構６７は、図５Ａ、図６の通り、ロックアーム４５、ロック解除孔４６、電磁ソレノイド４７からなる。
【００５４】
緊急開放弁５のロック解除機構６７の電磁ソレノイド４７が作動することにより、前述と同様に揺動アーム６３のロックが解除され、それによって、移動バー５６のロックは解除される。
移動バー５６は、図８の通り、スプリング５５の弾性付勢力によって閉位置から開位置へと移動する。この際、移動バー５６の先端のロックピン６５は、図９Ｂの通り、揺動アーム６３を揺動させて切欠き６４から抜け出るようになっている。
こうして、ロック解除機構６７が移動バー５６のロックを解除することにより、移動バー５６がスプリング５５の弾性付勢力によって閉位置から開位置へと速やかに移動する。そして、この移動に連動して弁軸５１が回転し、それによって、弁体５２が開方向に回転して流路１４を緊急開放する。
【００５５】
なお、緊急開放弁５は、弁軸５１を回転させるハンドル６８を備えている。図９Ｂのように移動バー５６が開位置にあるときに、ハンドル６８を操作して弁軸５１を回転すると、移動バー５６が閉位置（図９Ａ）に向かって移動する。この際、ロックピン６５が揺動アーム６３の側面６３ａに接触して揺動アーム６３を揺動させ、そして、図９Ａの通り、切欠き６４に再び嵌る。移動バー５６の閉位置への移動によってスプリング５５が再び圧縮される。さらに、揺動アーム６３が揺動する際に、これに取り付けられたフック３９がロックプレート４０の係止切欠き４１に嵌り込み、再び係止される。
即ち、ハンドル６８を操作することで、移動バー５６がロック機構６１によって閉位置にロックされ、弁体５２が流路１４を遮断した状態に復帰する。
【００５６】
[水処理システムの動作説明]
再び図１を参照して、制御盤１５は、異常検出手段２０（具体的には、図２の判定部２７）に接続され、緊急遮断弁３（具体的には、図３のロック解除機構４４の電磁ソレノイド４７）に接続され、さらに、緊急開放弁５（具体的には、図６のロック解除機構６７の電磁ソレノイド４７）に接続されている。
【００５７】
異常検出手段２０が紫外線処理装置２の異常を検出していないときには、制御盤１５は、緊急遮断弁３を開いて流路１３を開放し、緊急開放弁５を閉じて流路１４を遮断している。そして、水処理システムは、原水貯留部１の水をポンプＰによって、流路１０を通じて各紫外線処理装置２に送る。このとき、水は逆止弁１６とストレーナー１７を通過する。そして、水処理システムは、紫外線処理装置２によって水を紫外線処理し、水中のクリプトスポリジウム等の耐塩素性病原生物を不活性化する。水処理システムは、紫外線処理された水を、流路１３を通じて浄水貯留部１１に送る。浄水貯留部１１に貯留された水は、その後下流側へ給水される。
【００５８】
異常検出手段２０が紫外線処理装置２のいずれかに異常が発生したことを検出したとき、制御盤１５は、緊急遮断弁３のロック解除機構４４の電磁ソレノイド４７を作動させ、先の通りウエイト３３の重力を利用して流路１３を緊急遮断する。さらに、これと同時に、制御盤１５は、緊急開放弁５のロック解除機構６７の電磁ソレノイド４７を作動させ、先の通りスプリング５５の弾性付勢力を利用して流路１４を緊急開放する。それによって、紫外線処理装置２から送られる水が流路１４に導入されて排水貯留部１２へ排出されるようにして、浄水貯留部１１へ流れることが防止される。
【００５９】
上記構成によって、紫外線処理装置２の紫外線ランプ２４や保護管２５が故障及び破損することで、不活性化していない耐塩素性病原生物が含まれた水や、破損した保護管２５などの破片が浄水貯留部１１に流れ出ることが防止される。
【００６０】
緊急遮断弁３が流路１３を遮断するために弁軸３１を回転させるとき、緊急開放弁５が流路１４を開放するために弁軸５１を回転させるとき、非常に大きな初期トルクが必要となる。流路１３の緊急遮断、及び、流路１４の緊急開放のために、電気モーターで弁軸３１、５１を回転させる構成の場合、上記の大きな初期トルクを発生させるためには非常に時間がかかる。即ち、電動モーターを利用した構成では、紫外線処理装置２の異常を検出してから流路１３を遮断し、流路１４を開放するまでに非常に時間がかかる応答性が悪い水処理システムとなる。そして、このような水処理システムにおいて、紫外線処理装置２の異常時に、不活性化していない耐塩素性病原生物や保護管２５の破片を含む水が浄水貯留部１１への流れ出るのを確実に防ぐためには、流路１３の紫外線処理装置２から緊急遮断弁３までの長さを非常に長く設定しておかなければならず、結果、水処理システムが大型化するという問題がある。
【００６１】
これに対して、本願発明の水処理システムでは、緊急遮断弁３がウエイト３３の重力を利用して弁軸３１を回転して流路１３を遮断し、緊急開放弁５が圧縮されたスプリング５５の弾性付勢力を利用して弁軸５１を回転して流路１４を開放している。この構成によれば、緊急遮断弁３では、ロック解除機構４４を作動させた瞬間に、ウエイト３３の重量が弁軸３１に作用して、流路１３を遮断するために必要な大きな初期トルクを瞬時に発生させることができる。そして、緊急開放弁５では、ロック解除機構６７を作動させた瞬間に、スプリング５５の弾性付勢力が弁軸５１に作用して、流路１４を開放するために必要な大きな初期トルクを瞬時に発生させることができる。
【００６２】
即ち、ウエイト式の緊急遮断弁３及びスプリング式の緊急開放弁５を用いた水処理システムでは、紫外線処理装置２に異常が発生したときに、迅速に応答することができる。そして、その応答の速さゆえに、流路１３の紫外線処理装置２から緊急遮断弁３までの長さを短く設定しても、不活性化していない耐塩素性病原生物や保護管２５の破片を含む水の浄水貯留部１１への流出を確実に防止できる。従って、それによって水処理システムの小型化にも貢献する。
【００６３】
[第２実施形態]
[全体構成]
図１０に、本願発明の第２実施形態が示されている。図１０において、図１の実施形態と同様の構成については、同じ符号を付してその説明を可能な限り省略する。
この実施形態では、図１の緊急遮断弁３及び緊急開放弁５に代えて、三方ボール弁７が用いられている。三方ボール弁７は、流路１３（第１流路）から分岐している流路１４（第２流路）の分岐点に設置されている。
【００６４】
[三方ボール弁]
図１１に三方ボール弁７の正面図が、図１２に三方ボール弁７の側面図が示されている。三方ボール弁７は、上記分岐点に設置される弁箱７０を備えている。弁箱７０の内部は、流路１３、１４の一部を構成する。弁箱７０は、１つの流入口７１と、２つの流出口７２ａ、７２ｂとを備えている。そして、弁軸７３（図１２参照）が弁箱７０に回転可能に支持されており、弁箱７０の内外を貫通している。弁箱７０の内部には、弁軸７３に取り付けられたボール弁体７４が配置されている。ボール弁体７４は、図示されていない流通路が形成されている。
【００６５】
流入口７１は、図１０の流路１３の上流側部分に接続されている。図１１の背面側に設けられた流出口７２ａは、流路１３の下流側部分に接続されている。図１１の正面側に設けられた流出口７２ｂは、流路１４に接続されている。弁軸７３の回転によってボール弁体７４が回転することで、流入口７１と流出口７２ａとがボール弁体７４の流通路を介して連通し、かつ流入口７１と流出口７２ｂとが連通しない状態と、流入口７１と流出口７２ａとが連通せず、かつ流入口７１と流出口７２ｂとが流通路を介して連通する状態とに切り替わる。即ち、ボール弁体７４の回転によって、図１０の紫外線処理装置２が、浄水貯留部１１と連通し、排水貯留部１２と非連通しない状態（以下、第１状態という）と、紫外線処理装置２が浄水貯留部１１と非連通であり、排水貯留部１２と連通する状態（以下、第２状態という）とに切り替わる。
【００６６】
さらに、三方ボール弁７は、弁軸７３を回転するために弁軸７３に接続されたスプリング機構７５を備えている。三方ボール弁７のスプリング機構７５は、図６〜図９の緊急開放弁５のスプリング機構５３と同じ構成であるため、同一の構成要素については、同一の符号を付してその説明を可能な限り省略する。
即ち、図８、図１２の通り、スプリング機構７５は、ハウジング５４内に収納されたスプリング５５と、その長さ方向に直動可能であり、連結ピン５８及び連結片５９によって弁軸７３の回転と連動して移動する移動バー５６（移動部材）等を備えている。
【００６７】
図８Ａの通り、移動バー５６が退避してスプリング５５が圧縮されているとき、ボール弁体７４は第１状態を、即ち、紫外線処理装置２が浄水貯留部１１と連通し、排水貯留部１２と連通していない状態を形成している。以下、図８Ａの移動バー５６の位置を第１位置という。
図８Ｂの通り、移動バー５６が直進してスプリング５５の圧縮が開放されているとき、ボール弁体７４は第２状態を、即ち、紫外線処理装置２が浄水貯留部１１と連通せず、排水貯留部１２と連通している状態を形成している。以下、図８Ｂの移動バー５６の位置を第２位置という。
図８Ａの通り、移動バー５６が第１位置にあるとき、圧縮されたスプリング５５が、その弾性付勢力により移動バー５６を第２位置（図８Ｂ）に付勢している。
【００６８】
そして、三方ボール弁７は、図１１、図１２の通り、移動バー５６をスプリング５５の弾性付勢力に抗して第１位置にロックするロック機構７６を備えている。三方ボール弁７のロック機構７６は、図６、図７、図９の緊急開放弁５のロック機構６１と同一の構成であるため、同一の構成要素には同一の符号を付して、その説明を可能な限り省略する。
即ち、図９、図１１、図１２の通り、三方ボール弁７のロック機構７６は、回転軸６２周りに揺動し、切欠き６４が形成された揺動アーム６３と、この揺動アーム６３の揺動をロックするアームロック機構６６等を備える。アームロック機構６６は、揺動アーム６３に取り付けられたフック３９、フック３９を係止するロックプレート４０、ロックプレートの回転を規制するロックピン４２等を備えている。
【００６９】
そして、図９Ａ、図１２の通り、アームロック機構６６により揺動がロックされた揺動アーム６３の切欠き６４に、移動バー５６の先端のロックピン６５が嵌っていることにより、揺動バー５６がスプリング５５の弾性付勢力によって第１位置から第２位置へ移動することを規制している。
こうして、ロック機構７６は、スプリング５５の弾性付勢力に抗して移動バー５６を第１位置にロックし、それによって、第１状態が、即ち、紫外線処理装置２が浄水貯留部１１と連通し、排水貯留部１２と連通しない状態が保持される。
【００７０】
さらに、三方ボール弁７は、図１１の通り、ロック機構７６による移動バー５６のロックを解除するロック解除機構７７を備えている。このロック解除機構７７は、図５Ａの緊急遮断弁３及び緊急開放弁５のロック解除機構４４、６７と同一の構成であるため、同一の構成要素については同一の符号を付し、その説明を可能な限り省略する。
即ち、ロック解除機構７７は、ロックアーム４５と、ロック解除孔４６と、電磁ソレノイド４７等からなる。
【００７１】
三方ボール弁５のロック解除機構７７の電磁ソレノイド４７が作動することにより、揺動アーム６３のロックが解除され、それによって、移動バー５６のロックが解除される。それによって、移動バー５６は、スプリング５５の弾性付勢力によって第１位置（図８Ａ、図９Ａ）から第２位置（図８Ｂ、図９Ｂ）へと移動する。この際、移動バー５６の先端のロックピン６５は、揺動アーム６３を揺動させて切欠き６４から抜け出るようになっている。
【００７２】
こうして、ロック解除機構７７が移動バー５６のロックを解除することにより、移動バー５６がスプリング５５の弾性付勢力によって第１位置から第２位置へと速やかに移動する。この移動に連動して弁軸７３が回転し、それによって、ボール弁体７４が回転して、三方ボール弁７は第１状態から第２状態に瞬時に切り替わる。即ち、紫外線処理装置２と浄水貯留部１１とが連通から非連通になり、紫外線処理装置２と排水貯留部１２とが非連通から連通になる。
【００７３】
なお、図１１に示されるハンドル７８を操作して弁軸７３を回転することにより、三方ボール弁７は第２状態から第１状態に戻り、ロック機構７６が移動バー５６を第１位置にロックした状態に復帰するようになっている。
【００７４】
[水処理システムの動作説明]
再び図１０を参照して、制御盤１５は、異常検出手段２０（具体的には、図２の判定部２７）に接続され、三方ボール弁７（具体的には、図１１のロック解除機構７７の電磁ソレノイド４７）に接続されている。
【００７５】
異常検出手段２０が異常を検出していないときには、制御盤１５は、三方ボール弁７を第１状態に、即ち、各紫外線処理装置２が浄水貯留部１１と連通し、排水貯留部１２と非連通の状態にしている。水処理システムは、原水貯留部１の水をポンプＰによって流路１０を通じて各紫外線処理装置２に送る。そして、水処理システムは、紫外線処理装置２により水を紫外線処理して、クリプトスポリジウム等の耐塩素性病原生物を不活性化する。水処理システムは、紫外線処理された水を、各紫外線処理装置２から流路１３を通じて浄水貯留部１１に送る。浄水貯留部１１に貯留された水は、その後下流側に給水される。
【００７６】
異常検出手段２０が紫外線処理装置２のいずれかに異常が発生したことを検出したときには、制御盤１５は、三方ボール弁７のロック解除機構７７の電磁ソレノイド４７を作動させ、先の通りスプリング５５の弾性付勢力によって第１状態から第２状態へ切り替える。即ち、紫外線処理装置２が浄水貯留部１１と非連通であり、排水貯留部１２と連通する状態にする。それによって、紫外線処理装置２から送られる水が流路１４に導入されて排水貯留部１２へ排出されるようにし、浄水貯留部１１へ流れ出ることが防止される。
【００７７】
上記構成の第２実施形態の水処理システムも、スプリング式の三方ボール弁７を備えることによって第１実施形態と同様の効果を得ることができる。さらに、第２実施形態では、三方ボール弁７の１つの弁だけで足り、緊急遮断弁３及び緊急開放弁５のように２つの弁を設けなくてもよい。
【００７８】
以上、本願発明の好ましい実施形態について説明したが、本願発明の範囲は本実施形態に限定されるものではない。
第１実施形態と第２実施形態とに関して、例えば流路１３、１４を構成する配管の口径が１５０ｍｍ以上のときには、第１実施形態が実施され、それ以下の口径（１００ｍｍ、７５ｍｍ、５０ｍｍ）のときには、第２実施形態が実施されることが好ましいが、本願発明の範囲はこれに限定されるものではない。
【符号の説明】
【００７９】
[全体構成]
２  紫外線処理装置
３  ウエイト式の緊急遮断弁（第１弁）
５  スプリング式の緊急開放弁（第２弁）
７  スプリング式の三方ボール弁
１３  流路（第１流路）
１４  流路（第２流路）
１５  制御盤（制御手段）
２０  異常検知手段
[ウエイト式の緊急遮断弁（第１弁）]
３０  第１弁箱
３１  第１弁軸
３２  第１弁体
３３  ウエイト
３４  揺動アーム
３８  第１ロック機構
４４  第１ロック解除機構
[スプリング式の緊急開放弁（第２弁）]
５０  第２弁箱
５１  第２弁軸
５２  第２弁体
５５  スプリング
５６  移動バー（移動部材）
６１  第２ロック機構
６７  第２ロック解除機構
[スプリング式の三方ボール弁]
５５  スプリング
５６  移動バー（移動部材）
７０  弁箱
７３  弁軸
７４  ボール弁体
７６  ロック機構
７７  ロック解除機構
【図１】
2015080732.tif 000003
【図２】
2015080732.tif 000004
【図３】
2015080732.tif 000005
【図４】
2015080732.tif 000006
【図５】
2015080732.tif 000007
【図６】
2015080732.tif 000008
【図７】
2015080732.tif 000009
【図８】
2015080732.tif 000010
【図９】
2015080732.tif 000011
【図１０】
2015080732.tif 000012
【図１１】
2015080732.tif 000013
【図１２】
2015080732.tif 000014
【図１３】
2015080732.tif 000015